(57)【要約】【課題】比較的長寸の加工物の平面を高精度に加工でき、熱伝達性も低く、熱変位による平面度の狂いもなく、組立性のよい分離長尺テーブルを有する加工装置を提供する。【解決手段】平面研削盤１００は、ベース台２上に載置されてフレキシブルな連結具７を介して連結された分離テーブル１Ａ，１Ｂからなる長尺のテーブル１を移動させるリニアモータ４等からなる移動機構部と、砥石５Ｂを移動及び回転支持する装置本体５Ａよりなる加工手段である砥石台５と、ドレッサ６等とからなり、熱伝達や熱変位は連結具７の存在により分離構造となっているため低減される。また、分離構造のため組立性も良い。【選択図】図１
2010162658.tif 000002
【特許請求の範囲】
【請求項１】
比較的長寸の加工物を加工するための加工装置であって、該装置は前記加工物を搭載する長尺テーブルと、該長尺テーブルを移動させる移動機構部と、前記装置の固定側に配置される加工手段とを有し、前記長尺テーブルがフレキシブルの連結具を介して連結される分離されたテーブルからなることを特徴とする分離長尺テーブルを有する加工装置。
【請求項２】
前記移動機構部が、分離された１つのテーブルの下面に設けられたリニアモータであることを特徴とする請求項１に記載の分離長尺テーブルを有する加工装置。
【請求項３】
前記加工装置が、平面研削盤であり、前記テーブル上にはドレッサが配置されることを特徴とする請求項１又は２に記載の分離長尺テーブルを有する加工装置。
【発明の詳細な説明】
【技術分野】
【０００１】
本発明は、比較的長寸の加工物の上面を加工する例えば、平面研削盤のような加工装置に係り、特に、前記加工物を搭載する長尺テーブルがフレキシブルの連結具により分離され、該テーブルにはテーブルの移動機構部や工具修正具（例えば、ドレッシング手段）が設けられ、装置の不動側に加工手段が設けられている分離長尺テーブルを有する加工装置に関する。
【背景技術】
【０００２】
比較的長寸の加工物の上面を平坦に加工仕上げする加工装置としては、例えば、平面研削盤が挙げられる。この平面研削盤としては数多くの公知技術があり、例えば、「特許文献１」，「特許文献２」等が挙げられる。
【先行技術文献】
【特許文献】
【０００３】
【特許文献１】特開２０００−２１８５３０号公報（図１）
【特許文献２】特開平５−７７１６４号公報（図１）
【発明の概要】
【発明が解決しようとする課題】
【０００４】
「特許文献１」の「特開２０００−２１８５３０号」の「平面研削盤」や「特許文献２」の「特開平５−７７１６４号」の「平面研削盤」は、ワークは短寸のものであるがテーブルは比較的長尺のものからなる。また、テーブル上にはドレッサが配置されており、後に説明する本発明とやや似ている所もあるが、テーブルが分離型でなく、その組立性も良いものでなく一般的な構造のものである。
【０００５】
長尺テーブルを用いる平面研削盤の場合、一体型のものでは長尺の加工物の上面の平面度を高精度に仕上げ加工することが一般的に難しいと共に、熱が全体に伝わり、平面度を低下させる問題点もある。また、一般にテーブルを移動させる移動機構部はテーブルの下面側に配設されるため、この移動機構部をテーブルの下面に取り付ける作業は難しく、組立に大きな時間を要し、かつ高精度の組立が難しくなる問題点がある。
また、仮りにテーブルを分離したとしても、その連結具の如何によってはテーブルの上面を高精度に保持することが難しい問題点もあり、この連結具についても特別の配慮をする必要がある。
【０００６】
本発明は、以上の事情に鑑みて発明されたものであり、比較的長寸の加工物を高精度に加工でき、組立性もよくテーブルの移動性もよい分離長尺テーブルを有する加工装置を提供することを目的とする。
【課題を解決するための手段】
【０００７】
本発明は、以上の目的を達成するために、請求項１の発明は、比較的長寸の加工物を加工するための加工装置であって、該装置は前記加工物を搭載する長尺テーブルと、該長尺テーブルを移動させる移動機構部と、前記装置の固定側に配置される加工手段とを有し、前記長尺テーブルがフレキシブルの連結具を介して連結される分離されたテーブルからなることを特徴とする。
【０００８】
また、請求項２の発明は、前記移動機構部が、分離された１つのテーブルの下面に設けられたリニアモータであることを特徴とする。
【０００９】
また、請求項３の発明は、前記加工装置が、平面研削盤であり、前記テーブル上にはドレッサが配置されることを特徴とする。
【発明の効果】
【００１０】
本発明の請求項１の分離長尺テーブルを有する加工装置によれば、この加工装置は加工物を搭載するテーブルと、この移動機構部と、装置の不動側に設けられる加工手段等とからなり、特に、テーブルが分離型であり、分離されたテーブルがフレキシブルの連結具により連結されるため、テーブルの熱伝達による平面度の狂いがなく、テーブルの反転も容易であり、高精度加工と組立性の向上を図ることができる。
【００１１】
また、本発明の請求項２の分離長尺テーブルを有する加工装置によれば、移動機構部として分離されたテーブルの１つに配設されるリニアモータを採用することにより、移動機構部がコンパクトにまとめられ、かつ移動の円滑化と低コスト化を図ることができる。
【００１２】
また、本発明の請求項３の分離長尺テーブルを有する加工装置によれば、加工装置として加工物の高精度平面加工の可能な平面研削盤が適用され、発明の適用範囲が広く、分離されたテーブルにドレッサを取付けることにより、その取り付けの容易化や使用効率の向上も図ることができる。
【図面の簡単な説明】
【００１３】
【図１】本発明の加工装置の一例である平面研削盤の概要構造を示す正面図。
【図２】図１の上面図。
【図３】図１における加工手段の一例である砥石台を示す模式的正面図。
【図４】移動機構部の１つであるリニアモータ及びこの取り付け構造の概要構造を示す側断面図。
【発明を実施するための形態】
【００１４】
［実施例］
以下、本発明の分離長尺テーブルを有する加工装置の実施の形態を図面を参照して詳述する。
以下の説明では、本発明の加工装置として最も適していると思われる平面研削盤を挙げるが、本発明は、これに限定するものではなく、その他の加工装置にも当然適用される。
【００１５】
図１乃至図４は本発明を適用した平面研削盤１００の一例の概要構造を示すものである。この平面研削盤１００は、大別して加工物２００を搭載するテーブル１と、ベース台２と、ベース台２上に搭載されてテーブル１を案内するガイドベース３と、ベース台２とテーブル１との間に配置される移動機構部の１つであるリニアモータ４と、ベース台２上に載置される加工手段の１つである砥石台５と、ドレッサ６等とからなる。なお、本実施例では加工物２００は長尺のものからなり、そのためテーブル１は長尺のものからなる。
【００１６】
テーブル１は長尺のため、本実施例では２分離されてテーブル１Ａとテーブル１Ｂとからなるが、本発明は２分離に限定するものではない。テーブル１Ａはテーブル１Ｂに較べて短寸のものから成り、リニアモータ４は、図１，図４に示すようにテーブル１Ａの下面に設けられる。テーブル１Ａとテーブル１Ｂは隙間を介して配置され、その間にはフレキシブルの連結具７が介設されるが、このフレキシブルの連結具７の構造についてはここでは説明しないが、テーブル１Ａとテーブル１Ｂとの間の相対変位を吸収する構造のものが適用される。また、加工物２００はテーブル１Ｂの上面に搭載される。
【００１７】
ベース台２は地面８上に載置されたもので、剛性のある平板ブロックが使用される。
【００１８】
ガイドベース３は図４に示すように、ベース台２上に載置されるガイドブロック３Ａとテーブル１の下面に固定されるガイドレール３Ｂとからなるが、勿論これに限定するものではない。
【００１９】
リニアモータ４は図４に示すように、テーブル１Ａの下面に取り付けられる可動スライダ４Ａと、ベース台２上に固定される磁性体４Ｂとからなるが、勿論この構造に限定するものではない。
【００２０】
砥石台５は、本実施例では平面研削盤における砥石本体からなる。この砥石本体は勿論各種の構造のものからなるが、本実施例では図２及び図３に示すように、ベース台２上に載置される装置本体５Ａと、これに上下及び前後方向に移動及び回転可能に支持される砥石５Ｂ等とからなる。なお、その詳細構造については、一般的構造のためここでは説明を省略する。
【００２１】
ドレッサ６についても各種型式のものがあり、ここでの構造説明は省略するが、本実施例ではテーブル１Ａ上に載置されるドレッサ６Ａと、テーブル１Ｂ上に載置されるドレッサ６Ｂを一例として挙げられる。砥石５Ｂの形状により各方向からのドレッシングが必要のため、複数（本実施例では２個）のドレッサ６Ａと６Ｂが設けられている。なお、夫々のドレッサ６Ａ及び６Ｂは別々のテーブル１Ａ及び１Ｂ上に載置されているため、その設置は容易であり組立性の向上が図れる。
【００２２】
以上の構造により、リニアモータ４を作動することによりテーブル１は水平方向に移動し、ドレッシングされた砥石５Ｂにより加工物２００の平面研削を高精度に行うことができる。なお、リニアモータ４の可動スライダ４Ａがテーブル１Ａの下面に設けられているが、テーブル１Ａは短尺のものから成り、この反転は容易であり、可動スライダ４Ａの取り付けは簡単に、かつ正確にできる。また、テーブル１はテーブル１Ａとテーブル１Ｂに分離されているため熱伝達が少なく、テーブル１の平面度等の精度を高精度に保持することができる。また、フレキシブルの連結具７によりテーブル１Ａとテーブル１Ｂの変位が吸収され、テーブル１の平面度を高精度に保持できる。
以上により、長尺の加工物２００の平面加工を高精度に行うことができる。
【００２３】
本発明は以上の説明の内容からなるが、以上の説明内容に限定するものではなく、同一技術的範疇のものが適用されることは勿論である。
【産業上の利用可能性】
【００２４】
本発明は、加工装置として平面研削盤について説明したが、長尺テーブルを用いるすべての加工装置に適用可能であり、その利用範囲は極めて広い。
【符号の説明】
【００２５】
１      テーブル
１Ａ    テーブル（短寸）
１Ｂ    テーブル（長寸）
２      ベース台
３      ガイドベース
３Ａ    ガイドブロック
３Ｂ    レール
４      リニアモータ
４Ａ    可動スライダ
４Ｂ    磁性体
５      砥石台
５Ａ    装置本体
５Ｂ    砥石
６      ドレッサ
６Ａ    ドレッサ
６Ｂ    ドレッサ
７      連結具
８      地面
１００  平面研削盤
２００  加工物
【図１】
2010162658.tif 000003
【図２】
2010162658.tif 000004
【図３】
2010162658.tif 000005
【図４】
2010162658.tif 000006